(57)【要約】      （修正有）【課題】水と気体を効率よく分離するとともに、まだ蒸発して気体になっていない水資源を循環させて再利用することで、エネルギーを節減する複合式グリーンエネルギー浄化装置の提供。【解決手段】取水口１２と通気口１１を備え、取水口１２の開口部には蓋体１３が設けられる筺体１０と、筺体１０内に設けられる、第１濾過ユニット２１と第２濾過ユニット２２を備える濾過モジュール２０と、電解ユニット４０と、濾過モジュール２０と電解ユニット４０の間に設けられる分離台３０と、からなる複合式グリーンエネルギー浄化装置。【選択図】図２
2018118242.tif 000002
【特許請求の範囲】
【請求項１】
筺体と、濾過モジュールと、電解ユニットと、分離台と、からなる複合式グリーンエネルギー浄化装置であって、
前記筺体は取水口及び通気口を備え、前記取水口の開口部には蓋体が設けられ、
前記濾過モジュールは前記筺体内に設けられ、前記濾過モジュールは、第１濾過ユニット及び第２濾過ユニットを備え、
前記電解ユニットは、前記筺体内に設けられ、
前記分離台は、前記筺体内に設けられるとともに、前記濾過モジュールと前記電解ユニットの間に設けられ、
前記分離台は、管体及び少なくとも１つの穴を備え、
前記穴は分離台の底部に設けられ、そのうち前記取水口に水が加えられると、水は前記分離台の穴を通って前記電解ユニットに流れ、前記電解ユニットによって水が加熱されて水蒸気になり、水蒸気は前記管体、前記第１濾過ユニット、前記第２濾過ユニットを順番に通ることで、水と気体が分離されるとともに、気体は前記通気口から筺体の外側に排出される
ことを特徴とする、複合式グリーンエネルギー浄化装置。
【請求項２】
前記第１濾過ユニットは、底板及び複数の濾過部品を備え、
前記底板上方には、横方向に順番に複数の濾過部品が積み重ねられ、
各前記濾過部品の一側には、複数の第１バッフルが順番に間隔を置いて配列され、
各前記第１バッフルは、それぞれ空隙を備え、
さらに前記底板及び各前記濾過部品にはそれぞれ透孔が設けられ、各前記透孔は交差して設けられる
ことを特徴とする、請求項１に記載の複合式グリーンエネルギー浄化装置。
【請求項３】
前記第２濾過ユニットは、筺体内に垂直に設けられるとともに、前記第２濾過ユニットは、前記第１濾過ユニットのそばに設けられる
ことを特徴とする、請求項１に記載の複合式グリーンエネルギー浄化装置。
【請求項４】
前記第２濾過ユニットは、さらに第２濾過部品と、排気バルブと、取水バルブと、複数の斜板と、仕切板と、複数の第２バッフルを備え、
前記第２濾過ユニット上方の一端には前記排気バルブが設けられ、
前記第２濾過ユニット下方の一端には前記取水バルブが設けられ、
前記第２濾過部品の一側には前記複数の斜板及び前記仕切板が設けられ、
さらに前記複数の斜板は、上から下に順番に間隔を置いて配列され、
各前記斜板には前記複数の第２バッフルがそれぞれ設けられるとともに、前記複数の第２バッフルは、左から右に順番に間隔を置いて配列され、
前記仕切板は、前記複数の斜板と隣接し、
前記仕切板の一側には複数の傾斜板が設けられ、
前記複数の傾斜板は、上から下に順番に間隔を置いて配列されるとともに、各前記傾斜板の間隔には、前記第２バッフルが設けられる
ことを特徴とする、請求項３に記載の複合式グリーンエネルギー浄化装置。
【発明の詳細な説明】
【技術分野】
【０００１】
本発明は、複合式グリーンエネルギー浄化装置に関し、特に、水と気体を効果的に分離するとともに、まだ蒸発して気体になっていない水資源を循環させて再利用することで、エネルギーを節減する效果を達成することのできる複合式グリーンエネルギー浄化装置に関する。
【背景技術】
【０００２】
現在の蒸気機関車のほとんどには燃料エンジンが使用されており、燃料エンジンは、ガソリン蒸気を燃焼することによって動力を発生させるが、長時間にわたって使用すると、燃焼する過程において炭素付着が生じる。さらに、現在ほとんどの蒸気機関車は、市街地で運行されており、市街地では短距離を走行するとともに渋滞するため、蒸気機関車は低速で走行し、ブレーキをかけて信号を待つ必要がある。従って、蒸気機関車のエンジンは、長時間にわたって低速状態で作動することになるため、当然のことながらガソリンの不完全燃焼によって大量の炭素が付着してしまう。前記炭素付着物はエンジンに堆積されやすいため、燃費が悪くなる、動作効率が低い、エンジンがかかりにくいといった問題を引き起こす。
【０００３】
蒸気機関車の運行過程において生成される炭素付着を防ぐため、従来の車両にはカーボン除去装置が採用されており、前記車両用カーボン除去装置の適用方法は主に、パイプラインで水素を蒸気機関車のエンジンに導入し、水素とエンジン中の炭素付着物を結合させる。さらに水素の発火点の低さ及び酸素の燃焼を助ける特性によって、エンジン作動時に、前記水素と炭素付着物の化合物を燃焼させることができ、前記炭素付着物を燃燒することで細かい炭素分子が形成されるとともに排気パイプラインから排出されるのに伴い、エンジン内の炭素付着物が除去され、動作効率が低い及び燃費が悪いという欠点が改善される。
【０００４】
しかしながら、上述の水素の生成には、水を電気分解することで水素を生成する気体液体分離装置が使用されている。従来の気体液体分離装置には、水素生成効率が高くないとともに効率よく水資源を回收し、循環させて再利用することができないという欠点が存在する。
【発明の概要】
【発明が解決しようとする課題】
【０００５】
本発明は、水と気体を効率よく分離するとともに、まだ蒸発して気体になっていない水資源を循環させて再利用することで、エネルギーを節減する效果を達成する複合式グリーンエネルギー浄化装置を提供することを目的とする。
【課題を解決するための手段】
【０００６】
上述の目的を達成するため、本発明の複合式グリーンエネルギー浄化装置は、筺体と、濾過モジュールと、電解ユニットと、分離台と、からなる。前記筺体は、取水口及び通気口を備え、前記取水口の開口部には蓋体が設けられる。前記濾過モジュールは前記筺体内に設けられ、前記濾過モジュールは、第１濾過ユニット及び第２濾過ユニットを備える。前記電解ユニットは前記筺体内に設けられる。前記分離台は前記筺体内に設けられるとともに、前記濾過モジュールと前記電解ユニットの間に設けられ、前記分離台は管体及び少なくとも１つの穴を備え、前記穴は分離台の底部に設けられる。そのうち前記取水口に水が加えられると、水は前記分離台の穴を通って前記電解ユニットに流れ、前記電解ユニットによって水が加熱されて水蒸気になり、水蒸気は前記管体、前記第１濾過ユニット、前記第２濾過ユニットを順番に通ることで、水と気体が分離されるとともに、気体は前記通気口から筺体の外側に排出される。
【０００７】
上述の複合式グリーンエネルギー浄化装置における前記第１濾過ユニットは、底板及び複数の濾過部品を備え、前記底板上方には、横方向に順番に複数の濾過部品が積み重ねられ、各前記濾過部品の一側には、複数の第１バッフルが順番に間隔を置いて配列される。各前記第１バッフルは、それぞれ空隙を備え、さらに前記底板及び各前記濾過部品にはそれぞれ透孔が設けられ、各前記透孔は交差して設けられる。
【０００８】
上述の複合式グリーンエネルギー浄化装置における前記第２濾過ユニットは、筺体内に垂直に設けられるとともに、前記第２濾過ユニットは、前記第１濾過ユニットのそばに設けられる。
【０００９】
上述の複合式グリーンエネルギー浄化装置における前記第２濾過ユニットは、さらに第２濾過部品と、排気バルブと、取水バルブと、複数の斜板と、仕切板と、複数の第２バッフルを備え、前記第２濾過ユニット上方の一端には前記排気バルブが設けられ、前記第２濾過ユニット下方の一端には前記取水バルブが設けられ、前記第２濾過部品の一側には前記複数の斜板及び前記仕切板が設けられる。さらに、前記複数の斜板は、上から下に順番に間隔を置いて配列され、各前記斜板には前記複数の第２バッフルがそれぞれ設けられるとともに、前記複数の第２バッフルは、左から右に順番に間隔を置いて配列され、前記仕切板は、前記複数の斜板と隣接し、前記仕切板の一側には複数の傾斜板が設けられ、前記複数の傾斜板は、上から下に順番に間隔を置いて配列されるとともに、各前記傾斜板の間隔には、前記第２バッフルが設けられる。
【図面の簡単な説明】
【００１０】
【図１】本発明の斜視外観図である。
【図２】本発明の筺体内部の構造分解図である。
【図３】本発明の分離台の斜視構造図である。
【図４】本発明の第１濾過ユニットにおける細部の構造分解図である。
【図５】本発明の第２濾過ユニットにおける構造の部分拡大図である。
【図６】本発明の第１濾過ユニットにおける濾過部品の構造の一部を拡大した図である。
【図７】本発明の断面図（一）である。
【図８】本発明の断面図（二）である。
【発明を実施するための形態】
【００１１】
同時に参照する図１〜図８に示す通り、本発明の複合式グリーンエネルギー浄化装置は、筺体１０と、濾過モジュール２０と、電解ユニット４０と、分離台３０と、からなる。筺体１０は取水口１２及び通気口１１を備え、前記取水口１２の開口部には蓋体１３が設けられる。濾過モジュール２０は前記筺体１０内に設けられ、前記濾過モジュール２０は、第１濾過ユニット２１及び第２濾過ユニット２２を備える。電解ユニット４０は、前記筺体１０内に設けられる。分離台３０は前記筺体１０内に設けられるとともに、前記濾過モジュール２０と前記電解ユニット４０の間に設けられ、前記分離台３０は、管体３１及び少なくとも１つの穴３２を備え、前記穴３２は分離台３０の底部に設けられる。そのうち前記取水口１２に水が加えられると、水は前記分離台３０の穴３２を通って前記電解ユニット４０に流れ、前記電解ユニット４０により水が加熱されて水蒸気になり、水蒸気は前記管体３１、前記第１濾過ユニット２１、前記第２濾過ユニット２２を順番に通ることで、水と気体が分離されるとともに、気体は前記通気口１１から筺体１０の外側に排出される。
【００１２】
さらに参照する図４〜図６に示す通り、図４は、本発明の第１濾過ユニットにおける細部の構造分解図であり、図５は、本発明の第２濾過ユニットにおける構造の部分拡大図であり、図６は、本発明の第１濾過ユニットにおける濾過部品の構造の一部を拡大した図である。前記第１濾過ユニット２１は、底板２１１及び複数の濾過部品２１２を備え、前記底板２１１上方には、横方向に順番に複数の濾過部品２１２が積み重ねられ、各前記濾過部品２１２の一側には、複数の第１バッフル２１３が順番に間隔を置いて配列される。各前記第１バッフル２１３は、それぞれ空隙２１４を備え、前記底板２１１及び各前記濾過部品２１２には、それぞれ透孔２１５が設けられることで、各前記透孔２１５は交差して設けられる。前記第２濾過ユニット２２は、筺体１０内に垂直に設けられるとともに、前記第２濾過ユニット２２は、前記第１濾過ユニット２１のそばに設けられる。
【００１３】
参照する図７は、本発明の断面図（一）である。そのうち、前記第２濾過ユニット２２はさらに第２濾過部品２２１と、排気バルブ２２２と、取水バルブ２２３と、複数の斜板２２４と、仕切板２２５及び複数の第２バッフル２２６を備える。前記第２濾過ユニット２２上方の一端には前記排気バルブ２２２が設けられ、前記第２濾過ユニット２２下方の一端には前記取水バルブ２２３が設けられ、前記第２濾過部品２２１の一側には前記複数の斜板２２４及び前記仕切板２２５が設けられる。さらに前記複数の斜板２２４は、上から下に順番に間隔を置いて配列され、各前記斜板２２４には前記複数の第２バッフル２２６がそれぞれ設けられるとともに、前記複数の第２バッフル２２６は、左から右に順番に間隔を置いて配列され、前記仕切板２２５は、前記複数の斜板２２４と隣接する。前記仕切板２２５の一側には複数の傾斜板２２７が設けられ、前記複数の傾斜板２２７は、上から下に順番に間隔を置いて配列されるとともに、各前記傾斜板２２７の間隔内には前記第２バッフル２２６が設けられる。
【００１４】
参照する図８は、本発明の断面図（二）である。さらに組み合わせて参照する図１〜図７に示す通り、本発明の複合式グリーンエネルギー浄化装置を使用する場合、使用者は、前記蓋体１３を開け、前記取水口１２から水を加えることで、水は前記分離台３０の穴３２を通って前記電解ユニット４０に流れ、前記電解ユニット４０によって水が加熱されて水蒸気になると、水蒸気は、前記管体３１、前記第１濾過ユニット２１、前記第２濾過ユニット２２を順番に通ることで、水と気体に分離されるとともに、気体が前記通気口１１から筺体１０の外側に排出される。主に前記濾過部品２１２の第１バッフル２１３及び前記第２濾過部品２２１の第２バッフル２２６の構造によって、水と気体を分離させ、気体が前記排気バルブ２２２、さらに前記通気口１１を通って筺体１０の外側に排出されるようにするとともに、水が前記取水バルブ２２３を通って前記電解ユニットに戻るようにすることにより、本発明の複合式グリーンエネルギー浄化装置は、水と気体を効率よく分離することができるとともに、まだ蒸発して気体になっていない水資源を循環させて再利用することで、エネルギーを節減する效果を達成する。
【符号の説明】
【００１５】
１０  筺体
１１  通気口
１２  取水口
１３  蓋体
２０  濾過モジュール
２１  第１濾過ユニット
２１１  底板
２１２  濾過部品
２１３  第１バッフル
２１４  空隙
２１５  透孔
２２  第２濾過ユニット
２２１  第２濾過部品
２２２  排気バルブ
２２３  取水バルブ
２２４  斜板
２２５  仕切板
２２６  第２バッフル
２２７  傾斜板
３０  分離台
３１  管体
３２  穴
４０  電解ユニット
【図１】
2018118242.tif 000003
【図２】
2018118242.tif 000004
【図３】
2018118242.tif 000005
【図４】
2018118242.tif 000006
【図５】
2018118242.tif 000007
【図６】
2018118242.tif 000008
【図７】
2018118242.tif 000009
【図８】
2018118242.tif 000010